(57)【要約】      （修正有）【課題】原稿サイズ検出部が原稿送り装置に設けられておらず、原稿サイズをコンタクトガラス上で検出する場合でも、複数原稿に対する読取動作の時間を短縮する画像読取装置を提供する。【解決手段】原稿台、ＡＤＦ２０、原稿押さえカバー、ＡＤＦ開閉検出部２９、原稿台に載置された原稿の有無及び原稿サイズを検出する第１原稿検出部２３Ａ、副走査方向に往復移動可能なキャリッジを有し、キャリッジ上に設けられて、原稿の画像を読み取る読取部３０と、読取部３０を制御する制御部６と、を備える。第１原稿検出部２３Ａは、原稿押さえカバーが開状態から閉状態にされたことをＡＤＦ開閉検出部２９が検出したときに、原稿台に載置された原稿の有無及び当該原稿サイズを検出する。制御部６は、第１原稿検出部２３Ａで検出された原稿サイズを用いて、ＡＤＦ２０で搬送原稿読取位置に搬送された原稿に対する読取部３０での画像の読取動作を行わせる。【選択図】図２
2018098746.tif 000002
【特許請求の範囲】
【請求項１】
原稿が載置されるコンタクトガラスを有する原稿台と、
搬送原稿読取位置に原稿を搬送する原稿送り装置と、
装置本体に開閉自在に設けられ、閉状態で前記原稿台に載置された原稿を押さえる原稿押さえカバーと、
前記原稿押さえカバーが開状態であるか閉状態であるかを検出するカバー開閉検出部と、
前記原稿台に載置された原稿の有無及び当該原稿のサイズを検出する第１原稿検出部と、
予め定められた原稿読取方向に往復移動可能とされた移動機構を有し、当該移動機構上に設けられて、前記搬送原稿読取位置に搬送された原稿を当該搬送原稿読取位置で読み取り及び前記原稿読取方向に移動しながら前記原稿台に載置された原稿に照射した読取光の反射光を受光して当該原稿の画像を読み取る読取部と、
前記読取部を制御する制御部と、を備え、
前記第１原稿検出部は、前記原稿押さえカバーが開状態から閉状態にされたことを前記カバー開閉検出部が検出したときに、前記原稿台に載置された原稿の有無及び当該原稿のサイズを検出し、
前記制御部は、前記第１原稿検出部で検出された原稿のサイズを用いて、前記原稿送り装置で前記搬送原稿読取位置に搬送された原稿に対する前記読取部での画像の読取動作を行わせる画像読取装置。
【請求項２】
表示部と、
ユーザーからの操作入力を受け付ける操作受付部と、を更に備え、
前記制御部は、前記第１原稿検出部が前記原稿台に載置された原稿のサイズを検出した後に、前記操作受付部がユーザーからの原稿のサイズの指定を受け付けた場合には、
前記第１原稿検出部で検出された原稿のサイズに代えて、前記操作受付部で受け付けられた原稿のサイズを用いて、前記原稿送り装置により前記搬送原稿読取位置に搬送された原稿に対する前記読取部での画像の読取動作を行わせる請求項１に記載の画像読取装置。
【請求項３】
前記制御部は、前記第１原稿検出部が前記原稿台に載置された原稿のサイズを検出した後に、前記操作受付部がユーザーから受け付けた原稿サイズ以外か前記第１原稿検出部により検出された原稿サイズ以外の予め定められた項目の指定を受け付けた場合には、
前記第１原稿検出部で検出した原稿のサイズを使用することを確認する旨のメッセージを前記表示部に表示させ、
前記制御部は、前記第１原稿検出部が前記原稿台に載置された原稿のサイズを検出した後に、前記操作受付部がユーザーから原稿サイズの指定を受け付けた場合には、
前記メッセージを前記表示部に表示させない請求項２に記載の画像読取装置。
【請求項４】
前記原稿送り装置にセットされた原稿のサイズを検出する原稿サイズ検出部を更に備え、
前記制御部は、前記操作受付部が、前記第１原稿検出部で検出される原稿のサイズを使用する原稿台サイズ検出モードへのユーザーからの指定を受け付けた場合には、
前記原稿サイズ検出部で検出される原稿のサイズを用いることなく、前記第１原稿検出部で検出された原稿のサイズを用いて、前記原稿送り装置で前記搬送原稿読取位置に搬送された原稿に対する前記読取部での画像の読取動作を行わせる請求項２または請求項３に記載の画像読取装置。
【請求項５】
前記原稿送り装置での原稿の有無を検出する第２原稿検出部を更に備え、
前記制御部は、前記第１原稿検出部が前記原稿台に載置された原稿のサイズを検出した後に、前記第２原稿検出部が前記原稿送り装置に原稿があることを検出した場合には、
前記原稿台に載置された原稿があることを前記表示部に表示させる請求項２乃至請求項４のいずれか１項に記載の画像読取装置。
【請求項６】
前記制御部は、前記原稿台に載置された原稿があることを前記表示部に表示させた後に、前記第１原稿検出部が前記原稿台に載置された原稿がないことを検出した場合、または前記操作受付部がユーザーから前記原稿台に原稿を載置していることを許容する旨の指示を受け付けた場合、または前記第２原稿検出部が前記原稿送り装置に原稿がないことを検出した場合には、
前記表示部での前記原稿台に載置された原稿があることの表示を消させる請求項５に記載の画像読取装置。
【請求項７】
前記制御部は、前記第１原稿検出部が前記原稿台に載置された原稿のサイズを検出する前に、前記第２原稿検出部が前記原稿送り装置に原稿があることを検出した場合には、
予め定められたデフォルトのサイズを用いて、前記原稿送り装置で前記搬送原稿読取位置に搬送された原稿に対する前記読取部での画像の読取動作を行わせる請求項５または請求項６に記載の画像読取装置。
【請求項８】
前記制御部は、前記第２原稿検出部が前記原稿送り装置に原稿があることを検出した後に、前記第１原稿検出部が前記原稿台に載置された原稿があることを検出した場合には、
前記原稿台に載置された原稿があることを前記表示部に表示させる請求項７に記載の画像読取装置。
【請求項９】
前記制御部は、前記第１原稿検出部が前記原稿台に載置された原稿のサイズを検出した後、予め定められた待ち時間が経過するまでに、前記第２原稿検出部が前記原稿送り装置に原稿があることを検出しなかった場合には、
既に前記第１原稿検出部が検出した原稿のサイズを用いることなく、前記第１原稿検出部が再度新たに検出した原稿のサイズを用いて、前記原稿送り装置で前記搬送原稿読取位置に搬送された原稿に対する前記読取部での画像の読取動作を行わせる請求項５乃至請求項８のいずれか１項に記載の画像読取装置。
【請求項１０】
前記読取部で読み取られた原稿の画像のデータを記憶する記憶部を更に備え、
前記制御部は、前記第１原稿検出部が前記原稿台に載置された原稿のサイズを検出した後に、この検出した原稿のサイズを用いて、前記原稿送り装置で前記搬送原稿読取位置に搬送された原稿に対する前記読取部での読取動作を行わせて得られた画像のデータを前記記憶部に記憶させた場合において、この記憶させた画像のデータに対して、前記第１原稿検出部で原稿のサイズが検出された当該原稿の画像を前記原稿台に載置された状態で前記読取部に読み取らせ、読み取らせた画像のデータを前記記憶部の該当ページに差し込む請求項１乃至請求項９のいずれか１項に記載の画像読取装置。
【請求項１１】
請求項１乃至請求項１０のいずれか１項に記載の画像読取装置と、
前記読取部で読み取った画像を記録紙上に画像形成する画像形成部と、を備える画像形成装置。
【発明の詳細な説明】
【技術分野】
【０００１】
本発明は、画像読取装置及びこれを用いた画像形成装置に関し、特に、原稿のサイズを検出及び原稿読取する技術に関する。
【背景技術】
【０００２】
スキャナー等の画像読取装置には、コンタクトガラスを有する原稿台にユーザーの手によって載置された原稿を、原稿読取方向に移動可能なキャリッジ（移動機構）上に設けられた読取部が当該原稿に対して移動しつつ読み取る載置原稿読取と、原稿送り装置によって搬送されて予め定められた読取位置を通過する原稿を上記読取部で読み取る搬送原稿読取とを行うものがある。また、画像形成装置は、このような画像読取装置により読取得られた画像データに基づいて、原稿の画像を記録媒体に印刷する。
【０００３】
また、上記原稿送り装置には、原稿のサイズを検出する検出部が設けられていないものがある。このため、このような原稿送り装置では、例えば画像形成装置に設けられた操作受付部に対し、ユーザーが読取対象の原稿のサイズを入力して、当該サイズを指定する必要があった。
【０００４】
そこで、従来の画像読取装置には、例えば下記特許文献１に示されるように、原稿送り装置にセットされた複数の原稿のうち、１枚目の原稿をユーザーがコンタクトガラス上に載置して、その原稿のサイズを検出した後、上記載置原稿読取を行うことによって当該原稿の画像を読み取るとともに、２枚目以降の各原稿については上記搬送原稿読取を行うことによって画像を読み取る技術が提案されている。
【先行技術文献】
【特許文献】
【０００５】
【特許文献１】特開２０００−１６２９２１号公報
【発明の概要】
【発明が解決しようとする課題】
【０００６】
しかしながら、上記のような従来の画像読取装置では、１枚目の原稿に対して載置原稿読取を行うので、原稿読取方向の一方側から他方側に移動したキャリッジがその移動方向とは正反対な方向、つまり原稿読取方向の他方側から一方側にリターンして、２枚目以降の原稿に対して実行される搬送原稿読取を行うための位置に移動する必要がある。このため、この従来の画像読取装置では、キャリッジがリターンする時間を要するため、複数の原稿に対する読取動作に比較的長時間を要していた。
【０００７】
本発明は、上述した事情に鑑みてなされたものであり、原稿のサイズを検出する検出部が原稿送り装置に設けられておらず、原稿のサイズをコンタクトガラス上で検出する場合でも、複数の原稿に対する読取動作の時間を短縮することを目的とする。
【課題を解決するための手段】
【０００８】
本発明の一局面に係る画像読取装置は、原稿が載置されるコンタクトガラスを有する原稿台と、
搬送原稿読取位置に原稿を搬送する原稿送り装置と、
装置本体に開閉自在に設けられ、閉状態で前記原稿台に載置された原稿を押さえる原稿押さえカバーと、
前記原稿押さえカバーが開状態であるか閉状態であるかを検出するカバー開閉検出部と、
前記原稿台に載置された原稿の有無及び当該原稿のサイズを検出する第１原稿検出部と、
予め定められた原稿読取方向に往復移動可能とされた移動機構を有し、当該移動機構上に設けられて、前記搬送原稿読取位置に搬送された原稿を当該搬送原稿読取位置で読み取り及び前記原稿読取方向に移動しながら前記原稿台に載置された原稿に照射した読取光の反射光を受光して当該原稿の画像を読み取る読取部と、
前記読取部を制御する制御部と、を備え、
前記第１原稿検出部は、前記原稿押さえカバーが開状態から閉状態にされたことを前記カバー開閉検出部が検出したときに、前記原稿台に載置された原稿の有無及び当該原稿のサイズを検出し、
前記制御部は、前記第１原稿検出部で検出された原稿のサイズを用いて、前記原稿送り装置で前記搬送原稿読取位置に搬送された原稿に対する前記読取部での画像の読取動作を行わせるものである。
【０００９】
また、本発明の他の一局面に係る画像形成装置は、上記画像読取装置と、前記読取部で読み取った画像を記録紙上に画像形成する画像形成部と、を備える。
【発明の効果】
【００１０】
本発明によれば、原稿のサイズを検出する検出部が原稿送り装置に設けられておらず、原稿のサイズをコンタクトガラス上で検出する場合でも、複数の原稿に対する読取動作の時間を短縮する。
【図面の簡単な説明】
【００１１】
【図１】本発明の一実施形態に係る画像形成装置の外観図である。
【図２】本発明の一実施形態に係る画像形成装置の機能ブロック図である。
【図３】操作表示部を示す平面図である。
【図４】（Ａ）（Ｂ）は、原稿読取部の機械構成を示す図である。
【図５】原稿読取部内部の機械構成を示す模式図である。
【図６】プラテンサイズ検出モードでの読取動作の処理を示すフローチャートである。
【図７】図６に示した（１）からの処理を示すフローチャートである。
【図８】図６に示した（２）からの処理を示すフローチャートである。
【図９】図６に示した（３）からの処理を示すフローチャートである。
【図１０】図９に示した（４）からの処理を示すフローチャートである。
【図１１】表示部に表示される表示画面の一例を示した図である。
【図１２】表示部に表示される表示画面の一例を示した図である。
【図１３】表示部に表示される表示画面の一例を示した図である。
【図１４】第２実施形態に係る画像形成装置の機能ブロック図である。
【図１５】（Ａ）（Ｂ）は、第２実施形態に係る原稿読取部の機械構成を示す図である。
【発明を実施するための形態】
【００１２】
以下、本実施形態に係る画像読取装置及び画像形成装置を、図面を参照して説明する。図１は本発明の一実施形態に係る画像形成装置の外観図である。図２は本発明の一実施形態に係る画像形成装置の機能ブロック図である。図３は操作表示部を示す平面図である。図４（Ａ）（Ｂ）は、原稿読取部の機械構成を示す図である。図５は原稿読取部内部の機械構成を示す模式図である。
【００１３】
本実施形態に係る画像形成装置１は、電子写真方式で記録紙に画像を形成する複合機である。画像形成装置１は、原稿読取部２、画像形成部４、操作表示部５、制御部６、通信部７、及び画像データ記憶部８を備える。
【００１４】
操作表示部５は、操作表示制御部５１と、ハードウェアキーである操作キー５２と、ソフトウェアキーや各種画像を表示するＬＣＤ（liquid crystal display）を備えてタッチパネル機能を有する表示部５３を備えている。操作表示制御部５１は、制御部６による制御の下で、上記操作キー５２及び表示部５３を制御する制御装置である。尚、操作表示部５は、特許請求の範囲における操作受付部の一例である。
【００１５】
操作キー５２は、図３に示すように、ハードウェアキーとして操作表示部５に物理的に備えられている。操作キー５２として、例えば、電源キー５２Ａ、スタートキー５２Ｂ、プラテンキー５２Ｃ、設定キー５２Ｄ、ストップ／クリアキー及びテンキー（数値入力キー）等が備えられている。電源キー５２Ａは、画像形成装置１の電源のオンオフを切り換える切換指示をユーザーから受け付けるためのキーである。スタートキー５２Ｂは、コピーやスキャン（読取）等の各種動作の実行指示を受け付けるための操作キーである。プラテンキー５２Ｃは、原稿読取部２で原稿の画像の読取動作を行わせる際に、後述のプラテンサイズ検出モード（原稿台サイズ検出モード）へのユーザーからの指定を受け付けるための操作キーである。設定キー５２Ｄは、例えば読取時での原稿のサイズ、カラースキャン、モノクロスキャン、読取時での解像度等の予め定められた項目をユーザーから受け付けるための操作キーである。尚、この設定キー５２Ｄが押下されると、ユーザーが所望する項目を選択するためのソフトウェアキーが表示部５３に表示され、ユーザーはソフトウェアキーや数値入力キーを操作することによって所望する項目についての指定（入力）を行う。
【００１６】
原稿読取部２は、図１、図２及び図４（Ａ）に示すように、原稿送り装置としての自動原稿送り装置（以下、ＡＤＦ（Automatic document feeder）という）２０、第１原稿検出部２３Ａ、及び読取部３０を備えている。原稿読取部２は、ＡＤＦ２０により搬送される原稿ＭＳ又は読取部３０上に載置された原稿ＭＳを、制御部６から入力される制御信号に基づき読み取る。当該読取により得られた原稿画像データは、画像データ記憶部８に記憶される。尚、画像データ記憶部８は、特許請求の範囲における記憶部の一例である。また、このＡＤＦ２０は、原稿送り装置と原稿押さえカバーとの一体型のものである。すなわち、ＡＤＦ２０は、特許請求の範囲における原稿送り装置の一例であり、ＡＤＦ２０の下面は、特許請求の範囲における原稿カバーの一例である。
【００１７】
ＡＤＦ２０は、装置本体、例えば読取部３０の上面にヒンジ等によって開閉自在に設けられ、原稿給紙トレイ２２に載置された複数枚の原稿ＭＳを１枚ずつ繰り出して、ＡＤＦ２０によって搬送されてくる原稿ＭＳを読み取るために設けられた原稿読取位置である流し読み位置（搬送原稿読取位置）ＲＰに搬送する。また、ＡＤＦ２０は、読取部３０上に載置された原稿ＭＳを読み取る場合に、閉状態で原稿押さえカバーとして機能する。ＡＤＦ２０は、図４（Ａ）に示すようにプラテンカバー２１、原稿給紙トレイ２２、第２原稿検出部２３Ｃ、ピックアップローラー２４、搬送ローラー２５、搬送ローラー２６、排紙ローラー２７、原稿排出トレイ２８、及びＡＤＦ開閉検出部２９を備える。
【００１８】
第２原稿検出部２３Ｃは、例えば光学センサー等からなり、原稿給紙トレイ２２にセットされた原稿ＭＳの先端を検出し、その検出結果を示す検出信号を制御部６に出力する。すなわち、この第２原稿検出部２３Ｃは、ＡＤＦ２０での原稿ＭＳの有無を検出する。
【００１９】
第１原稿検出部２３Ａは、第２のプラテンガラス３２の下方に原稿サイズに対応して設けられた複数の光学センサー（図略）を備え、第２のプラテンガラス３２に載置された原稿ＭＳの有無及び原稿ＭＳのサイズを検出し、検出信号を制御部６に出力する。つまり、この第１原稿検出部２３Ａでは、上記複数の光学センサーが複数の各原稿サイズに応じて設置されている。また、これらの各光学センサーには、例えば原稿ＭＳに向けて光を照射し、原稿ＭＳに反射される光を受光する反射型の光学センサーが用いられている。第１原稿検出部２３Ａでは、光学センサーが光を受光したときに原稿ＭＳがあることを検出し、更には光を受光した光学センサーがどの設置位置に設置されているかによって当該原稿ＭＳのサイズを検出して、その検出結果を検出信号として制御部６に出力する。
【００２０】
また、この第１原稿検出部２３Ａは、ＡＤＦ（原稿押さえカバー）２０が開状態から閉状態にされたことをＡＤＦ開閉検出部（カバー開閉検出部）２９が検出したときに、第２のプラテンガラス３２に載置された原稿ＭＳの有無及び当該原稿ＭＳのサイズを検出する。
【００２１】
搬送ローラー２６と排紙ローラー２７との間には、図４（Ａ）に示すように読取用開口部ＯＰが形成されている。読取用開口部ＯＰは、帯状の開口であって、ＡＤＦ２０の底部、つまり読取部３０の上記流し読み位置ＲＰに対向する位置に、副走査方向（原稿搬送方向）に一定幅を有して設けられている。ＡＤＦ２０によって搬送される原稿ＭＳの表面は、当該読取用開口部ＯＰにおいて読取部３０に向けて露出する。
【００２２】
原稿排出トレイ２８は、排紙ローラー２７から供給された原稿ＭＳを収容する収容部である。ＡＤＦ開閉検出部２９は、ＡＤＦ２０が原稿押さえカバーとして開状態であるか閉状態であるかを検出し、検出信号を制御部６に出力する。
【００２３】
例えばＡＤＦ開閉検出部２９には、当該ＡＤＦ開閉検出部２９の内部から第２のプラテンガラス３２の上方に突出するように付勢された突出部材２９ａ（図１）が含まれている。そして、ＡＤＦ開閉検出部２９では、その検出信号の値が突出部材２９ａの突出量に応じて変化する。すなわち、ＡＤＦ開閉検出部２９では、開けられたＡＤＦ２０がユーザーにより閉じられていくにつれて、突出部材２９ａがＡＤＦ２０の下面と接触して、当該突出部材２９ａはＡＤＦ開閉検出部２９の内部に押し込まれる。ＡＤＦ２０が閉じられるに従って、突出部材２９ａの押し込まれる度合いが大きくなり、突出部材２９ａの突出量が予め定められた値未満となると、ＡＤＦ開閉検出部２９の検出信号の値は開状態の値から閉状態の値に変化する。一方、閉じられたＡＤＦ２０がユーザーにより開けられていくにつれて、突出部材２９ａがＡＤＦ２０の下面から離間して、当該突出部材２９ａはＡＤＦ開閉検出部２９の内部から突出する。ＡＤＦ２０が開けられるに従って、突出部材２９ａの押し込まれる度合いが小さくなり、突出部材２９ａの突出量が予め定められた値以上となると、ＡＤＦ開閉検出部２９の検出信号の値は閉状態の値から開状態の値に変化する。尚、ＡＤＦ開閉検出部２９は、特許請求の範囲におけるカバー開閉検出部の一例である。
【００２４】
読取部３０は、図４（Ａ）、図４（Ｂ）及び図５に示すように、第１のプラテンガラス３１、原稿ＭＳが載置されるコンタクトガラスとしての第２のプラテンガラス３２を有する原稿台、白色基準板３３、キャリッジ３４、集光レンズ３６、ＣＣＤ（Charge Coupled Device）センサー３７、キャリッジ検出部３８を備えている。読取部３０は、ＡＤＦ２０により搬送された原稿ＭＳ、又はユーザーにより第２のプラテンガラス３２上に載置された原稿ＭＳを読み取る。
【００２５】
白色基準板３３は、第１のプラテンガラス３１と第２のプラテンガラス３２との間に設けられた白色板である。白色基準板３３は、シェーディング補正時に読み取られ、読み取られた画像データが白色基準データとしてシェーディング補正に用いられる。
【００２６】
キャリッジ３４は、主走査方向に延びる形状を有する。キャリッジ３４は、光源であるＬＥＤ（Light Emitting Diode）３４Ａと、原稿ＭＳにより反射された読取光をＣＣＤセンサーに向けて反射する複数のミラーと、を備えている。また、キャリッジ３４は、副走査方向に延びるレールに沿って、当該副走査方向に往復移動可能に設けられている。キャリッジ３４には、図４（Ｂ）に示すように、主走査方向の一方（奥側）の端に遮光板３４Ｂが設けられている。遮光板３４Ｂは、後述するキャリッジ検出部３８（ＰＩ（Photo Interrupter）センサー）によってキャリッジ３４の位置を検出するための部材である。キャリッジ検出部３８には、上下方向に異なる位置に互いに向き合うようにして発光部３８Ａと受光部３８Ｂが設けられている。遮光板３４Ｂは、当該発光部３８Ａと受光部３８Ｂとの間を、キャリッジ３４の移動に伴って通過する。
【００２７】
なお、読取部３０は、キャリッジ３４を副走査方向に移動させるための駆動源及び駆動機構を備えている。
【００２８】
制御部６は、第２のプラテンガラス３２に載置された原稿ＭＳを読み取るための読取開始位置ＲＳＰにキャリッジ３４を移動させ、当該読取開始位置ＲＳＰにおいて、原稿ＭＳを読み取らせる。原稿ＭＳの読取時、キャリッジ３４は、第２のプラテンガラス３２の下方において、読取開始位置ＲＳＰから副走査方向（図５では右方向となる方向）に移動しつつ、ＬＥＤ３４Ａから、原稿ＭＳに向けて読取光を照射する。この結果、原稿ＭＳから順次得られる読取光は、キャリッジ３４の複数のミラーに反射され、集光レンズ３６に入射する。なお、読取開始位置ＲＳＰは、副走査方向において、ホームポジションＨＰと、上記流し読み位置ＲＰとの間の位置に設定されている。また、キャリッジ３４が、ホームポジションＨＰ、流し読み位置ＲＰ、または読取開始位置ＲＳＰに移動とは、キャリッジ３４の副走査方向での中心線（図５に一点鎖線ＲＬにて図示）が各位置に一致するように、当該キャリッジ３４が動作することである。
【００２９】
また、キャリッジ３４は、ＡＤＦ２０から原稿ＭＳが搬送される場合には、図５に示す上記流し読み位置ＲＰに移動する。すなわち、制御部６は、ＡＤＦ２０により搬送された原稿ＭＳを読み取る場合には、キャリッジ３４を、第１のプラテンガラス３１の下方に移動させ、この位置で停止させる。
【００３０】
集光レンズ３６は、上記ミラーから入射する読取光を集光してＣＣＤセンサー３７の受光面に結像させる。ＣＣＤセンサー３７は、受光した読取光を電気信号に光電変換する。
【００３１】
キャリッジ検出部３８は、キャリッジ３４とは別体に構成されたものであり、副走査方向において上記ホームポジションＨＰに対して直近となる位置に配設位置を有する。キャリッジ検出部３８は、キャリッジ３４に設けられた遮光板３４Ｂと、主走査方向において交差して重なり合う位置に設けられている。キャリッジ検出部３８は、発光部３８Ａと受光部３８Ｂとが上下に対向するように設けられた光学センサーとしてのＰＩセンサーである。
【００３２】
キャリッジ検出部３８は、キャリッジ３４の移動に伴って発光部３８Ａと受光部３８Ｂとの間を通過する、キャリッジ３４の遮光板３４Ｂを検出し、検出結果を示す信号を制御部６に出力する。例えば、キャリッジ検出部３８は、遮光板３４Ｂが発光部３８Ａと受光部３８Ｂとの間に位置している場合には、キャリッジ３４がホームポジションＨＰにあることを示す検出信号を出力し、一方、遮光板３４Ｂが発光部３８Ａと受光部３８Ｂとの間から外れて位置している場合には、キャリッジ３４がホームポジションＨＰにはないことを示す不検出信号を出力する。
【００３３】
画像形成部４は、給紙カセットから取り出した記録紙Ｐに画像データに基づくトナー画像を画像形成する。
【００３４】
通信部７は、電話回線を介して外部の画像形成装置１あるいはファクシミリ装置、またＬＡＮ（Local Area Network）を介してクライアントコンピューター等と通信を行う。
【００３５】
制御部６は、ＣＰＵ（Central Processing Unit）、ＲＯＭ（Read Only Memory）、ＲＡＭ（Random Access Memory）及びインターフェイス回路等から構成されている。この制御部６は、上記ＲＯＭに記憶された各種演算制御プログラムに基づいて各種の演算処理を行うと共に各部と通信を行うことにより画像形成装置１の全体動作を制御する。また、この制御部６は、各部から検出信号等で送られてくる検出結果等を上記ＲＡＭ等に適宜記憶させる。
【００３６】
また、制御部６は、プラテンキー５２Ｃが押下された場合（つまり、操作受付部が、第１原稿検出部２３Ａで検出される原稿ＭＳのサイズを使用するプラテンサイズ検出モード（原稿台サイズ検出モード）へのユーザーからの指定を受け付けた場合）、第１原稿検出部２３Ａで検出された原稿ＭＳのサイズを用いて、ＡＤＦ２０で流し読み位置（搬送原稿読取位置）ＲＰに搬送された原稿ＭＳに対する読取部３０での画像の読取動作を行わせる。
【００３７】
なお、本発明の一実施形態に係る画像読取装置は、少なくとも、第２のプラテンガラス３２と、ＡＤＦ２０と、第２原稿検出部２３Ｃと、第１原稿検出部２３Ａと、ＡＤＦ開閉検出部２９と、読取部３０と、操作表示部５と、制御部６と、画像データ記憶部８とを備える。
【００３８】
次に、図６乃至図１０を参照して、画像形成装置１のプラテンサイズ検出モードでの読取動作について具体的に説明する。図６は、プラテンサイズ検出モードでの読取動作の処理を示すフローチャートである。図７は、図６に示した（１）からの処理を示すフローチャートである。図８は、図６に示した（２）からの処理を示すフローチャートである。図９は、図６に示した（３）からの処理を示すフローチャートである。図１０は、図９に示した（４）からの処理を示すフローチャートである。
【００３９】
制御部６は、プラテンキー５２Ｃが押下されたかどうかについて判別することにより、プラテンサイズ検出モードがユーザーによって選択されたかどうかについて判断する（Ｓ１）。制御部６は、プラテンサイズ検出モードが選択されていなければ（Ｓ１でＮＯ）、プラテンサイズ検出モードを実行しないと判断する。
【００４０】
一方、プラテンサイズ検出モードが選択された場合（Ｓ１でＹＥＳ）、制御部６は、第１原稿検出部２３Ａで検出された原稿ＭＳのサイズを用いて、ＡＤＦ２０で流し読み位置ＲＰに搬送された原稿ＭＳに対する読取部３０での画像の読取動作が行われると判断する。
【００４１】
続いて、制御部６は、ＡＤＦ開閉検出部２９から取得した検出信号に基づいて、ＡＤＦ２０が開状態から閉状態にされたかどうかについて判別する（Ｓ２）。制御部６は、ＡＤＦ開閉検出部２９から取得した検出信号に基づいて、ＡＤＦ２０に開閉が検出されていないことを判別すれば（Ｓ２でＮＯ）、処理は、（１）に進む。
【００４２】
一方、制御部６は、ＡＤＦ開閉検出部２９から取得した検出信号に基づいて、ＡＤＦ２０に開閉が検出されていることを判別すれば（Ｓ２でＹＥＳ）、第１原稿検出部２３Ａから取得した検出信号に基づいて、第２のプラテンガラス３２に原稿ＭＳがあるかどうかについて判別する（Ｓ３）。つまり、制御部６は、読取対象の複数の原稿ＭＳのサイズを検出するために、ユーザーが、それらの原稿ＭＳのうち、例えば１枚目の原稿ＭＳを第２のプラテンガラス３２に載置したかどうかについて判別する。制御部６は、第１原稿検出部２３Ａから取得した検出信号に基づいて、第２のプラテンガラス３２に原稿ＭＳが載置されていないことを判別すれば（Ｓ３でＮＯ）、処理は、Ｓ２に戻る。
【００４３】
尚、上記の説明以外に、制御部６が第２のプラテンガラス３２に原稿ＭＳが載置されていないと判別してから予め定められた規定の時間が経過したときに、制御部６が複数の原稿ＭＳに対する読取動作が中止されたと判断して待機状態に戻ったり、サイズ検出用の原稿ＭＳを第２のプラテンガラス３２に載置して下さいとの旨のメッセージを表示部５３に表示させたりする構成でもよい。
【００４４】
一方、制御部６は、第１原稿検出部２３Ａから取得した検出信号に基づいて、第２のプラテンガラス３２に原稿ＭＳが載置されていることを判別すれば（Ｓ３でＹＥＳ）、プラテン原稿のサイズ検出を実行させる（Ｓ４）。すなわち、制御部６は、第１原稿検出部２３Ａから取得した検出信号に基づいて、原稿ＭＳのサイズを検出する。
【００４５】
続いて、制御部６は、操作表示部５に対してユーザーからの操作指示が入力されたかどうかについて判別する（Ｓ５）。制御部６は、操作指示が入力されていれば（Ｓ５でＹＥＳ）、処理は、（２）に進む。
【００４６】
一方、制御部６は、操作指示が入力されていなければ（Ｓ５でＮＯ）、ＡＤＦ開閉検出部２９から取得した検出信号に基づいて、ＡＤＦ２０が開状態から閉状態にされたかどうかについて判別する（Ｓ６）。制御部６は、ＡＤＦ開閉検出部２９から取得した検出信号に基づいて、ＡＤＦ２０に開閉が検出されていないことを判別すれば（Ｓ６でＮＯ）、処理は、（３）に進む。
【００４７】
一方、制御部６は、ＡＤＦ開閉検出部２９から取得した検出信号に基づいて、ＡＤＦ２０に開閉が検出されていることを判別すれば（Ｓ６でＹＥＳ）、第１原稿検出部２３Ａから取得した検出信号に基づいて、第２のプラテンガラス３２に原稿ＭＳがあるかどうかについて判別する（Ｓ７）。つまり、制御部６は、ユーザーによってサイズが検出された原稿ＭＳが、複数の原稿ＭＳに戻されるために、第２のプラテンガラス３２から取り除かれたかどうかについて判別する。制御部６は、第１原稿検出部２３Ａから取得した検出信号に基づいて、第２のプラテンガラス３２に原稿ＭＳが載置されていることを判別すれば（Ｓ７でＹＥＳ）、処理は、（３）に進む。
【００４８】
制御部６は、第１原稿検出部２３Ａから取得した検出信号に基づいて、第２のプラテンガラス３２に原稿ＭＳが載置されていないことを判別すれば（Ｓ７でＮＯ）、第２原稿検出部２３Ｃから取得した検出信号に基づいて、ＡＤＦ２０に原稿ＭＳがあるかどうかについて判別する（Ｓ８）。制御部６は、第２原稿検出部２３Ｃから取得した検出信号に基づいて、ＡＤＦ２０に原稿ＭＳがあることを判別すれば（Ｓ８でＹＥＳ）、上記Ｓ４でサイズが検出された原稿ＭＳを含む複数の原稿ＭＳがＡＤＦ２０にセットされたと判断し、当該Ｓ４において第１原稿検出部２３Ａで検出された原稿ＭＳのサイズ（以下、プラテンサイズと略称する）を用いて、ＡＤＦ２０で流し読み位置ＲＰに順次搬送された複数の各原稿ＭＳに対する読取部３０での画像の読取動作を行わせる（Ｓ９）。
【００４９】
また、制御部６は、第２原稿検出部２３Ｃから取得した検出信号に基づいて、ＡＤＦ２０に原稿ＭＳがないことを判別すれば（Ｓ８でＮＯ）、第２原稿検出部２３ＣによってＡＤＦ２０に原稿ＭＳがないことを検出された時点から予め定められた第１の待ち時間が経過したかどうかについて判別する（Ｓ１０）。制御部６は、第１の待ち時間が経過したことを検出しなければ（Ｓ１０でＮＯ）、処理は、Ｓ８に戻る。尚、第１の待ち時間は、例えば１〜５分程度である。
【００５０】
制御部６は、第１の待ち時間が経過したことを検出すれば（Ｓ１０でＹＥＳ）、読取動作が行われないと判断して処理を終了する。つまり、制御部６は、第１原稿検出部２３Ａが上記Ｓ４でプラテンサイズを検出した後、予め定められた第１の待ち時間が経過するまでに、第２原稿検出部２３ＣがＡＤＦ２０に原稿ＭＳがないことを検出した場合には、第１原稿検出部２３Ａが検出した原稿ＭＳのサイズを使用した読取部３０での画像の読取動作を実行させない。そして、制御部６は、第１原稿検出部２３Ａが新たに原稿ＭＳのサイズを検出した場合に、この新たに検出した原稿ＭＳのサイズを用いて、ＡＤＦ２０で搬送原稿読取位置に搬送された原稿に対する読取部３０での画像の読取動作を行わせる
【００５１】
また、制御部６は、上記ＲＡＭ等に記憶させていた、Ｓ４で検出したプラテンサイズ（原稿ＭＳのサイズ）を消去させる（Ｓ１１）。これにより、本実施形態では、一のユーザーが原稿ＭＳのサイズを検出した後、別のユーザーがＡＤＦ２０に原稿ＭＳをセットして読取動作を行わせる場合に、一のユーザーが検出させた原稿ＭＳのサイズが使用されるのを防ぐことができる。また、上記予め定められた第１の待ち時間経過後、一のユーザーがＡＤＦ２０に別の原稿ＭＳをセットして新たな読取動作を行わせる場合、または別のユーザーがＡＤＦ２０に原稿ＭＳをセットして読取動作を行わせる場合、制御部６は、別の読取動作が実行されるとしてエラー表示を表示部５３に行わせない。
【００５２】
また、処理が上記（１）に進んだ場合、図７に示すように、制御部６は、第２原稿検出部２３Ｃから取得した検出信号に基づいて、ＡＤＦ２０に原稿ＭＳがあるかどうかについて判別する（Ｓ１２）。制御部６は、第２原稿検出部２３Ｃから取得した検出信号に基づいて、ＡＤＦ２０に原稿ＭＳがないことを判別すれば（Ｓ１２でＮＯ）、読取対象の原稿ＭＳがＡＤＦ２０及び第２のプラテンガラス３２にセットされていないと判断して処理を終了する。
【００５３】
一方、制御部６は、第２原稿検出部２３Ｃから取得した検出信号に基づいて、ＡＤＦ２０に原稿ＭＳがあることを判別すれば（Ｓ１２でＹＥＳ）、ＡＤＦ開閉検出部２９から取得した検出信号に基づいて、ＡＤＦ２０が開状態から閉状態にされたかどうかについて判別する（Ｓ１３）。制御部６は、ＡＤＦ開閉検出部２９から取得した検出信号に基づいて、ＡＤＦ２０に開閉が検出されていないことを判別すれば（Ｓ１３でＮＯ）、上記Ｓ４に示した原稿ＭＳのサイズ検出を行うことなく、ＡＤＦ２０にセットされた原稿ＭＳの読取動作が要求されていると判断して、予め定められているデフォルトのサイズを用いて、ＡＤＦ２０にセットされた原稿ＭＳの読取動作を読取部３０に行わせる（Ｓ１４）。尚、このデフォルトのサイズは、ユーザーが操作表示部５に対する操作指示を行うことにより、変更可能である。すなわち、ユーザーが上記設定キー５３Ｄを押下して、テンキーを操作することでデフォルトのサイズを指定することができる。これにより、本実施形態では、第１原稿検出部２３Ａによる上記プラテンサイズの検出を行うことなく、デフォルトのサイズで原稿ＭＳの読取動作を容易に行うことができる。
【００５４】
また、制御部６は、ＡＤＦ開閉検出部２９から取得した検出信号に基づいて、ＡＤＦ２０に開閉が検出されていることを判別すれば（Ｓ１３でＹＥＳ）、ＡＤＦ２０にセットされる原稿ＭＳが第２のプラテンガラス３２に載置されている可能性があると判断して、注意表示を表示部５３に行わせる（Ｓ１５）。例えば、制御部６は、図１１に例示するように、第２のプラテンガラス３２に原稿ＭＳが取り忘れていないかについて注意を促す旨のメッセージを表示部５３に表示させる。これにより、本実施形態では、原稿ＭＳの読み取り漏れを未然に防ぐことができる。
【００５５】
続いて、制御部６は、第１原稿検出部２３Ａから取得した検出信号に基づいて、第２のプラテンガラス３２に原稿ＭＳがあるかどうかについて判別する（Ｓ１６）。制御部６は、第１原稿検出部２３Ａから取得した検出信号に基づいて、第２のプラテンガラス３２に原稿ＭＳが載置されていないことを判別すれば（Ｓ１６でＮＯ）、全ての原稿ＭＳがＡＤＦ２０にセットされたと判断して、表示部５３での上記注意表示を消去させて、処理は、Ｓ１４に進む。
【００５６】
一方、制御部６は、第１原稿検出部２３Ａから取得した検出信号に基づいて、第２のプラテンガラス３２に原稿ＭＳが載置されていることを判別すれば（Ｓ１６でＹＥＳ）、ＡＤＦ２０に先に原稿ＭＳがセットされた後、第２のプラテンガラス３２に原稿ＭＳが載置されたと判断して、上記注意表示に代えて、エラー表示を表示部５３に行わせる（Ｓ１７）。例えば、制御部６は、図１２に例示するように、第２のプラテンガラス３２に原稿ＭＳがある旨の表示を表示部５３に行わせる。これにより、本実施形態では、第２のプラテンガラス３２に原稿ＭＳをユーザーが取り忘れることを防ぐことができる。
【００５７】
その後、制御部６は、第２のプラテンガラス３２に載置された原稿ＭＳのサイズ読取指示がユーザーから行われたかどうかについて判別する（Ｓ１８）。例えば、制御部６は、図１２に示した表示画面において、プラテンサイズ読取キー５５Ａがユーザーに押下されたかどうかについて判別する。そして、制御部６は、ユーザーがプラテンサイズ読取キー５５Ａを押下したことを検出すれば（Ｓ１８でＹＥＳ）、第２のプラテンガラス３２に載置された原稿ＭＳのサイズの読取の実行が要求されていると判断して、表示部５３でのエラー表示を消去して（Ｓ１９）、上記Ｓ４に進む。これにより、本実施形態では、処理を円滑に進めることができる。
【００５８】
一方、制御部６は、プラテンサイズ読取キー５５Ａが押下されたことを検出しなければ（Ｓ１８でＮＯ）、エラー表示を表示部５３に行わせた時点から予め定められた第２の待ち時間が経過したかどうかについて判別する（Ｓ２０）。制御部６は、第２の待ち時間が経過したことを検出しなければ（Ｓ２０でＮＯ）、処理は、Ｓ１８に戻る。尚、第２の待ち時間は、例えば１〜５分程度である。
【００５９】
一方、制御部６は、第２の待ち時間が経過したことを検出した場合には（Ｓ２０でＹＥＳ）、読取動作が中止されたと判断して処理を終了する。尚、この説明以外に、制御部６は、例えばユーザーが図１２に例示した表示画面に設けられた解除キー５５Ｅを押下したときに、第２の待ち時間が経過する前に処理を強制的に終了する構成でもよい。
【００６０】
また、処理が上記（２）に進んだ場合、図８に示すように、制御部６は、読取対象の原稿ＭＳのサイズの指定が行われたかどうかについて判別する（Ｓ２１）。つまり、制御部６は、ユーザーによって上記設定キー５２Ｄが押下された後ソフトウェアキー及び数値入力キーに対するユーザーの操作指示によって読取対象の原稿ＭＳのサイズが指示されたかどうかについて判別する。
【００６１】
そして、制御部６は、読取対象の原稿ＭＳのサイズの指定が行われたことを検出した場合（Ｓ２１でＹＥＳ）、第２原稿検出部２３Ｃから取得した検出信号に基づいて、ＡＤＦ２０に原稿ＭＳがあるかどうかについて判別する（Ｓ２２）。制御部６は、第２原稿検出部２３Ｃから取得した検出信号に基づいて、ＡＤＦ２０に原稿ＭＳがあることを判別すれば（Ｓ２２でＹＥＳ）、制御部６は、上記Ｓ２１で指定された原稿ＭＳのサイズを用いて、ＡＤＦ２０にセットされた原稿ＭＳの読取動作を読取部３０に行わせる（Ｓ２３）。また、この場合、制御部６は、ユーザーは上記Ｓ４で検出されたプラテンサイズ（原稿ＭＳのサイズ）を用いた読取動作ではなく、Ｓ２１で指定された原稿ＭＳのサイズを使用した読取動作の実行が要求されていると判断して、検出した原稿ＭＳのサイズを使用することを確認する旨のメッセージを表示部５３に表示させない。これにより、本実施形態では、ユーザーが所望するサイズを使用した読取動作を行うことができる。
【００６２】
また、制御部６は、第２原稿検出部２３Ｃから取得した検出信号に基づいて、ＡＤＦ２０に原稿ＭＳがないことを判別すれば（Ｓ２２でＮＯ）、第２原稿検出部２３ＣによってＡＤＦ２０に原稿ＭＳがないことを検出された時点から予め定められた第３の待ち時間が経過したかどうかについて判別する（Ｓ２４）。制御部６は、第３の待ち時間が経過したことを検出しなければ（Ｓ２４でＮＯ）、処理は、Ｓ２２に戻る。尚、第３の待ち時間は、例えば１〜５分程度である。
【００６３】
一方、制御部６は、第３の待ち時間が経過したことを検出した場合には（Ｓ２４でＹＥＳ）、読取動作が行われないと判断して処理を終了する。また、この場合、Ｓ４でプラテンサイズ（原稿ＭＳのサイズ）が検出されているので、制御部６は、上記Ｓ１０でＹＥＳの場合と同様に、上記ＲＡＭ等に記憶されているプラテンサイズ（原稿ＭＳのサイズ）を消去させる（Ｓ２５）。
【００６４】
また、制御部６は、上記操作受付部がユーザーから受け付けた原稿サイズ以外か第１原稿検出部２３Ａにより検出された原稿サイズ以外の予め定められた項目、すなわちカラースキャン、モノクロスキャン、読取時での解像度等の予め定められた項目がユーザーから上記操作受付部に対して指定された場合（Ｓ２１でＮＯ）、上記ＲＡＭ等にプラテンサイズ（原稿ＭＳのサイズ）が記憶されていることを判別することにより、第２のプラテンガラス３２に載置された原稿ＭＳのサイズが検出されていると判断して、検出した原稿ＭＳのサイズを使用することを確認する旨のメッセージを表示部５３に表示させる（Ｓ２６））。例えば、制御部６は、図１３に例示するように、第２のプラテンガラス３２上の原稿ＭＳでサイズを検出したので、検出した原稿ＭＳのサイズを使用することを確認する旨の表示を行う。これにより、本実施形態では、Ｓ４で検出した上記プラテンサイズを用いた読取動作を優先的に行わせることができる。
【００６５】
また、処理が上記（３）に進んだ場合、つまり上記Ｓ４でプラテンサイズが検出された後に、当該原稿ＭＳが第２のプラテンガラス３２に取り残されている場合、図９に示すように、制御部６は、第２原稿検出部２３Ｃから取得した検出信号に基づいて、ＡＤＦ２０に原稿ＭＳがあるかどうかについて判別する（Ｓ２７）。制御部６は、第２原稿検出部２３Ｃから取得した検出信号に基づいて、ＡＤＦ２０に原稿ＭＳがないことを判別すれば（Ｓ２７でＮＯ）、第２原稿検出部２３ＣによってＡＤＦ２０に原稿ＭＳがないことを検出された時点から予め定められた第４の待ち時間が経過したかどうかについて判別する（Ｓ２８）。制御部６は、第４の待ち時間が経過したことを検出しなければ（Ｓ２８でＮＯ）、処理は、Ｓ２７に戻る。尚、第４の待ち時間は、例えば１〜５分程度である。
【００６６】
一方、制御部６は、第４の待ち時間が経過したことを検出した場合には（Ｓ２８でＹＥＳ）、読取動作が行われないと判断して処理を終了する。また、この場合、上記Ｓ４でプラテンサイズが検出されているので、制御部６は、上記Ｓ１０でＹＥＳの場合と同様に、上記ＲＡＭ等に記憶されているプラテンサイズ（原稿ＭＳのサイズ）を消去させる（Ｓ２９）。
【００６７】
制御部６は、第２原稿検出部２３Ｃから取得した検出信号に基づいて、ＡＤＦ２０に原稿ＭＳがあることを判別すれば（Ｓ２７でＹＥＳ）、Ｓ４でプラテンサイズを検出した原稿ＭＳをＡＤＦ２０にセットし忘れている可能性があると判断して、エラー表示を表示部５３に行わせる（Ｓ３０）。例えば、制御部６は、図１２に例示したように、第２のプラテンガラス３２に原稿ＭＳがある旨の表示を表示部５３に行わせる。これにより、本実施形態では、第２のプラテンガラス３２に原稿ＭＳをユーザーが取り忘れることを防ぐことができる。
【００６８】
続いて、制御部６は、上記操作受付部がユーザーから第２のプラテンガラス３２に原稿ＭＳを載置していることを許容する旨の指示を受け付けたか否かについて判別する（Ｓ３１）。例えば、制御部６は、図１２に示した表示画面において、ＯＫキー５５Ｆがユーザーに押下されたかどうかについて判別する。そして、制御部６は、ユーザーがＯＫキー５５Ｆを押下したことを検出すれば（Ｓ３１でＹＥＳ）、ユーザーは第２のプラテンガラス３２に原稿ＭＳを載置していることを許容している（すなわち、当該原稿ＭＳが読取対象でない）と判断して、表示部５３でのエラー表示を消去して（Ｓ３３）、上記Ｓ８に進む。これにより、本実施形態では、処理を円滑に進めることができる。
【００６９】
一方、制御部６は、ユーザーがＯＫキー５５Ｆを押下したことを検出しなければ（Ｓ３１でＮＯ）、第１原稿検出部２３Ａから取得した検出信号に基づいて、第２のプラテンガラス３２に原稿ＭＳがあるかどうかについて判別する（Ｓ３２）。制御部６は、第１原稿検出部２３Ａから取得した検出信号に基づいて、第２のプラテンガラス３２に原稿ＭＳが載置されていないことを判別すれば（Ｓ３２でＮＯ）、プラテンサイズを検出した原稿ＭＳのＡＤＦ２０へのセット忘れが解消されたとして、表示部５３でのエラー表示を消去させて（Ｓ３３）、処理は、Ｓ８に進む。これにより、本実施形態では、処理を円滑に進めることができる。
【００７０】
一方、制御部６は、第１原稿検出部２３Ａから取得した検出信号に基づいて、第２のプラテンガラス３２に原稿ＭＳが載置されていることを判別すれば（Ｓ３２でＹＥＳ）、ＡＤＦ２０から原稿ＭＳが除去されたかどうかについて判別する（Ｓ３４）。制御部６は、第２原稿検出部２３Ｃから取得した検出信号に基づいて、原稿ＭＳが除去されていることを判別すれば（Ｓ３４でＹＥＳ）、処理は、（４）に進む。
【００７１】
また、制御部６は、第２原稿検出部２３Ｃから取得した検出信号に基づいて、原稿ＭＳが除去されていることを判別しなければ（Ｓ３４でＮＯ）、ＡＤＦ２０にセットされた原稿ＭＳの読取動作の指示が要求されたかどうかについて判別する（Ｓ３５）。例えば、制御部６は、図１２に示した表示画面において、ＡＤＦ読取キー５５Ｂまたはプラテン／ＡＤＦ読取キー５５Ｄがユーザーに押下されたかどうかについて判別する。そして、制御部６は、ユーザーがＡＤＦ読取キー５５Ｂまたはプラテン／ＡＤＦ読取キー５５Ｄを押下したことを検出しなければ（Ｓ３５でＮＯ）、処理は、（４）に進む。
【００７２】
制御部６は、ＡＤＦ読取キー５５Ｂまたはプラテン／ＡＤＦ読取キー５５Ｄを押下したことを検出すれば（Ｓ３５でＹＥＳ）、第２のプラテンガラス３２に原稿ＭＳが載置された状態でＡＤＦ２０にセットされた原稿ＭＳの読取動作の実行が要求されていると判断して、表示部５３でのエラー表示を消去する（Ｓ３６）。これにより、本実施形態では、処理を円滑に進めることができる。
【００７３】
続いて、制御部６は、上記Ｓ４で検出されたプラテンサイズ（原稿ＭＳのサイズ）を用いて、ＡＤＦ２０にセットされた原稿ＭＳの読取動作を読取部３０に行わせる（Ｓ３７）。
【００７４】
次に、制御部６は、第２のプラテンガラス３２に載置されている原稿ＭＳの読取動作の指示が要求されたかどうかについて判別する（Ｓ３８）。例えば、制御部６は、図１２に示した表示画面において、ＡＤＦ読取キー５５Ｂが押下されたことを検出していた場合は、第２のプラテンガラス３２に載置されている原稿ＭＳの読取動作の指示が要求されていないと判断して（Ｓ３８でＮＯ）、処理を終了する。
【００７５】
一方、制御部６は、図１２に示した表示画面において、プラテン／ＡＤＦ読取キー５５Ｄが押下されたことを検出していた場合は、第２のプラテンガラス３２に載置されている原稿ＭＳの読取動作の指示が要求されていると判断して（Ｓ３８でＹＥＳ）、上記Ｓ４で検出されたプラテンサイズ（原稿ＭＳのサイズ）を用いて、第２のプラテンガラス３２に載置されている原稿ＭＳの読取動作を読取部３０に行わせる（Ｓ３９）。
【００７６】
更に、制御部６は、操作表示部５に対するユーザーの操作指示により、上記Ｓ３９で得られた画像データ（第２のプラテンガラス３２に載置されている原稿ＭＳの読取データ）を、画像データ記憶部８の該当ページに差し込む。すなわち、制御部６は、上記Ｓ３７で得られた画像データ（ＡＤＦ２０にセットされた原稿ＭＳの読取データ）に対して、Ｓ３９で得られた画像データを追加して、１つの連続した画像データとして画像データ記憶部８に記憶させることができる。すなわち、本実施形態では、第２のプラテンガラス３２に原稿ＭＳを載置して当該原稿ＭＳをＡＤＦ２０にセットをすることを忘れて（当該原稿ＭＳを複数の原稿ＭＳに戻すことを忘れて）、ＡＤＦ２０にセットされた原稿ＭＳの読取動作を行った場合でも、再度全ての原稿ＭＳをＡＤＦ２０にセットし直して読取動作を実行するのを省略することが可能になる。
【００７７】
また、処理が（４）に進んだ場合、図１０に示すように、制御部６は、第２のプラテンガラス３２に載置されている原稿ＭＳの読取動作の指示が要求されたかどうかについて判別する（Ｓ４０）。例えば、制御部６は、図１２に示した表示画面において、プラテン読取キー５５Ｃまたは解除キー５５Ｅがユーザーに押下されたかどうかについて判別する。そして、制御部６は、ユーザーが上記解除キー５５Ｅを押下したことを検出すれば（Ｓ４０でＮＯ）、読取動作が中止されたと判断して、表示部５３でのエラー表示を消去し（Ｓ４１）、制御部６は、処理を終了する。
【００７８】
一方、ユーザーが上記プラテン読取キー５５Ｃを押下したことを検出すれば（Ｓ４０でＹＥＳ）、制御部６は、第２のプラテンガラス３２に載置されている原稿ＭＳの読取動作の指示が要求されたと判断して、表示部５３でのエラー表示を消去する（Ｓ４２）。これにより、本実施形態では、処理を円滑に進めることができる。
【００７９】
その後、制御部６は、上記Ｓ４で検出されたプラテンサイズ（原稿ＭＳのサイズ）を用いて、第２のプラテンガラス３２に載置されている原稿ＭＳの読取動作を読取部３０に行わせる（Ｓ４３）。
【００８０】
以上のように、本実施形態によると、第１原稿検出部２３Ａで検出された原稿ＭＳのサイズ（プラテンサイズ）を用いて、ＡＤＦ２０にセットされた原稿ＭＳの読取動作を読取部３０に行わせているので、上記従来例と異なり、複数の原稿ＭＳに対する読取動作を行う場合でも、キャリッジ３４が待機位置までに戻る時間を考慮する必要がない。このため、本実施形態では、原稿ＭＳのサイズを検出する検出部がＡＤＦ（原稿送り装置）２０に設けられておらず、原稿ＭＳのサイズを第２のプラテンガラス（コンタクトガラス）３２上で検出する場合でも、複数の原稿ＭＳに対する読取動作の時間を短縮することができる。
【００８１】
次に、本発明の第２実施形態にかかる画像形成装置１について説明する。なお、上記第１実施形態と同様の構成については説明を省略する。
【００８２】
第２実施形態の画像形成装置１には、図１４及び図１５に示すように、原稿給紙トレイ２２にセットされた原稿ＭＳのサイズを検出するＡＤＦサイズ検出部２３Ｂが設けられている。
【００８３】
ＡＤＦサイズ検出部２３Ｂは、原稿給紙トレイ２２の上面に原稿サイズに対応して設けられた複数の光学センサーを備え、原稿給紙トレイ２２にセットされた原稿ＭＳのサイズを検出し、検出信号を制御部６に出力する。つまり、このＡＤＦサイズ検出部２３Ｂでは、上記複数の光学センサーが複数の各原稿サイズに応じて設置されている。また、これらの各光学センサーには、例えば原稿ＭＳに向けて光を照射し、原稿ＭＳに反射される光を受光する反射型の光学センサーが用いられている。ＡＤＦサイズ検出部２３Ｂでは、光学センサーが光を受光したときに、光を受光した光学センサーがどの設置位置に設置されているかによって当該原稿ＭＳのサイズを検出して、その検出結果を検出信号として制御部６に出力する。尚、ＡＤＦサイズ検出部２３Ｂは、特許請求の範囲における原稿サイズ検出部の一例である。
【００８４】
また、本実施形態では、制御部６は、プラテンキー５２Ｃが押下された場合（つまり、操作受付部が、第１原稿検出部２３Ａで検出される原稿ＭＳのサイズを使用するプラテンサイズ検出モード（原稿台サイズ検出モード）へのユーザーからの指定を受け付けた場合）、ＡＤＦサイズ検出部２３Ｂで検出される原稿ＭＳのサイズを用いることなく、第１原稿検出部２３Ａで検出された原稿ＭＳのサイズを用いて、ＡＤＦ２０で流し読み位置（搬送原稿読取位置）ＲＰに搬送された原稿ＭＳに対する読取部３０での画像の読取動作を行わせる。
【００８５】
また、本実施形態では、ユーザーによるプラテンサイズ検出モードの選択は、原稿ＭＳに対する読取動作を行う場合だけでなく、ＡＤＦサイズ検出部２３Ｂに動作不良等の故障が生じた場合でも行われる。つまり、本実施形態では、プラテンキー５２Ｃを設けてプラテンサイズ検出モードを選択可能とすることにより、ＡＤＦサイズ検出部２３Ｂに故障が生じたときでも、ユーザーは操作表示部５に対し原稿ＭＳのサイズの入力を行うことなく、原稿ＭＳに対する読取動作を容易に実行させることができる。
【００８６】
なお、上記実施形態において、図１乃至図１５を用いて上記実施形態により示した構成及び処理は、本発明の一実施形態に過ぎず、本発明を当該構成及び処理に限定する趣旨ではない。
【符号の説明】
【００８７】
１      画像形成装置
２      原稿読取部
４      画像形成部
５      操作表示部（操作受付部）
６      制御部
２０    ＡＤＦ（原稿送り装置、原稿押さえカバー）
２３Ａ  第１原稿検出部
２３Ｂ  ＡＤＦサイズ検出部（原稿サイズ検出部）
２３Ｃ  第２原稿検出部
２９    ＡＤＦ開閉検出部（カバー開閉検出部）
３０    読取部
３２    第２のプラテンガラス（原稿台）
３４    キャリッジ（移動機構）
【図１】
2018098746.tif 000003
【図２】
2018098746.tif 000004
【図３】
2018098746.tif 000005
【図４】
2018098746.tif 000006
【図５】
2018098746.tif 000007
【図６】
2018098746.tif 000008
【図７】
2018098746.tif 000009
【図８】
2018098746.tif 000010
【図９】
2018098746.tif 000011
【図１０】
2018098746.tif 000012
【図１１】
2018098746.tif 000013
【図１２】
2018098746.tif 000014
【図１３】
2018098746.tif 000015
【図１４】
2018098746.tif 000016
【図１５】
2018098746.tif 000017